【手続補正書】
【提出日】平成30年6月11日(2018.6.11)
【手続補正１】
【補正対象書類名】特許請求の範囲
【補正対象項目名】全文
【補正方法】変更
【補正の内容】
【特許請求の範囲】
【請求項１】
乗り物機能を制御するためのジェスチャを使用するように乗り物の複数のユーザをトレーニングする、コンピュータ実装された方法であって、
乗り物機能の制御に関係したタスクが、前記タスクと関連した予め定義されたジェスチャを使用することなしに、前記乗り物の個別ユーザにより、手動で完了させられていると判定することと、
前記タスクと関連した前記予め定義されたジェスチャを未学習ジェスチャとして指定することと、
予め定められた期間の後に、前記個別ユーザと関連したジェスチャ使用履歴が少なくとも１つの未学習ジェスチャを含むと判定することと、
少なくとも１つの未学習ジェスチャが乗り物機能を制御するためのショートカットとして利用可能であるというカスタマイズされた命令を前記個別ユーザに提示することと、
を備えるコンピュータ実装された方法。
【請求項２】
各タスクが、個々のタスクと関連した前記ジェスチャを使用することなしに完了させられた回数のカウントを維持するために、前記ジェスチャ使用履歴を更新することを更に備える請求項１に記載のコンピュータ実装された方法。
【請求項３】
前記カスタマイズされた命令を前記個別ユーザに提示する前に、前記カウントが予め定められた値を超過していると判定することを更に備える請求項２に記載のコンピュータ実装された方法。
【請求項４】
前記ジェスチャ使用履歴が複数の未学習ジェスチャを含むと判定することと、
前記複数の未学習ジェスチャのうちの少なくとも１つが乗り物機能を制御するためのショートカットとして利用可能であるという命令を前記個別ユーザに提示することと、
を備える請求項１に記載のコンピュータ実装された方法。
【請求項５】
前記カスタマイズされた命令を前記個別ユーザに提示した後に、前記ジェスチャ使用履歴をリセットすることを更に有する請求項１に記載のコンピュータ実装された方法。
【請求項６】
前記予め定められた期間を前記乗り物が前記個別ユーザによって運転された暦日の数に基づいたものとすることを備える請求項１に記載のコンピュータ実装された方法。
【請求項７】
前記予め定められた期間を前記個別ユーザによって運転された時間の数に基づいたものとすることを備える請求項１に記載のコンピュータ実装された方法。
【請求項８】
前記予め定められた期間を前記個別ユーザによって運転されたマイルの数に基づいたものとすることを備える請求項１に記載のコンピュータ実装された方法。
【請求項９】
前記カスタマイズされた命令を前記乗り物内において表示されるマルチメディアプレゼンテーションとして前記個別ユーザに提示することを備える請求項１に記載のコンピュータ実装された方法。
【請求項１０】
前記予め定義されたジェスチャは三次元運動を備える請求項１に記載のコンピュータ実装された方法。
【請求項１１】
前記予め定義されたジェスチャは、前記乗り物と通信状態にあるタッチパッド又はタッチスクリーン装置によって受け取られる二次元運動を備える請求項１に記載のコンピュータ実装された方法。
【請求項１２】
前記タスクが、前記タスクと関連した前記予め定義されたジェスチャを使用することにより前記個別ユーザによって完了させられていると後から判定することと、
前記タスクと関連した前記予め定義されたジェスチャを学習済ジェスチャであるとして再指定することと、
を更に備える請求項１に記載のコンピュータ実装された方法。
【請求項１３】
乗り物機能を制御するためのショートカットとしてジェスチャを使用するように乗り物の複数のユーザをトレーニングする、コンピュータ実装された方法であって、
前記乗り物の各個別ユーザによって完了させられている、乗り物機能の制御に関係した複数のタスクを監視することと、
タスクごとに、前記タスクが前記個別ユーザによって、（ａ）前記タスクと関連した予め定義されたジェスチャを使用することにより完了させられているのか、又は、（ｂ）前記タスクと関連した前記予め定義されたジェスチャを使用することなしに手動により完了させられているのか、を判定することと、
タスクごとに、前記タスクと関連した前記予め定義されたジェスチャを、（ａ）前記個別ユーザが前記タスクと関連した前記予め定義されたジェスチャを使用することにより前記タスクを完了させたときには、学習済ジェスチャとして指定し、又は、（ｂ）前記個別ユーザが前記タスクを手動によって完了させたときには、未学習ジェスチャとして指定することと、
予め定められた期間の後に、前記個別ユーザと関連したジェスチャ使用履歴が少なくとも１つの未学習ジェスチャを含むと判定することと、
少なくとも１つの未学習ジェスチャが乗り物機能を制御するためのショートカットとして利用可能であるというカスタマイズされた命令を前記個別ユーザに提示することと、
を備えるコンピュータ実装された方法。
【請求項１４】
各タスクが手動によって完了させられた回数のカウントを維持するために、前記ジェスチャ使用履歴を更新することと、前記カスタマイズされた命令を前記個別ユーザに提示する前に、前記カウントが予め定められた値を超過していると判定することと、を更に備える請求項１３に記載のコンピュータ実装された方法。
【請求項１５】
前記予め定められた期間を、
前記乗り物が前記個別ユーザによって運転された暦日の数、
前記個別ユーザによって運転された時間の数、及び、
前記個別ユーザによって運転されたマイルの数、
のうちの１つ又は複数に基づいたものとすることを備える請求項１３に記載のコンピュータ実装された方法。
【請求項１６】
前記カスタマイズされた命令を前記乗り物内において表示されるマルチメディアプレゼンテーションとして前記個別ユーザに提示することを備える請求項１３に記載のコンピュータ実装された方法。
【請求項１７】
前記予め定義されたジェスチャは、
三次元運動、及び、
前記乗り物と通信状態にあるタッチパッド又はタッチスクリーン装置によって受け取られる二次元運動、
のうちの１つ又は複数を備える、請求項１３に記載のコンピュータ実装された方法。
【請求項１８】
乗り物機能を制御するためのジェスチャを使用するように乗り物の複数のユーザをトレーニングするシステムであって、
ジェスチャ情報を受け取るように構成された１つ又は複数のセンサと、
前記１つ又は複数のセンサと通信状態にある演算装置と、
を備え、
前記演算装置は、
前記演算装置の動作を制御するための１つ又は複数のプロセッサと、
前記１つ又は複数のプロセッサによって使用されるデータ及びプログラム命令を保存するための非一時的コンピュータ可読媒体と、
を備え、
前記１つ又は複数のプロセッサは、前記非一時的コンピュータ可読媒体内に保存されている命令を実行して、
乗り物機能の制御と関係したタスクが、前記タスクと関連した予め定義されたジェスチャを使用することなしに、前記乗り物の個別ユーザにより、手動によって完了させられていると判定し、
前記タスクと関連した前記予め定義されたジェスチャを未学習ジェスチャとして指定し、
予め定められた期間の後に、前記個別ユーザと関連したジェスチャ使用履歴が少なくとも１つの未学習ジェスチャを含むと判定し、
少なくとも１つの未学習ジェスチャが乗り物機能を制御するためのショートカットとして利用可能であるというカスタマイズされた命令を前記個別ユーザに対して提示する、
ように構成されている、システム。
【請求項１９】
前記プロセッサは、前記非一時的コンピュータ可読媒体内に保存されている命令を実行して、前記予め定められた期間を、
前記乗り物が前記個別ユーザによって運転された暦日の数、
前記個別ユーザによって運転された時間の数、及び、
前記個別ユーザによって運転されたマイルの数、
のうちの１つ又は複数に基づくようにする、ように更に構成されている請求項１８に記載のシステム。
【請求項２０】
前記１つ又は複数のセンサは、
三次元運動、及び、
タッチパッド又はタッチスクリーン装置によって受け取られた二次元運動、
のうちの少なくとも１つを検出する、ように構成されている請求項１８に記載のシステム。